(57)【要約】【課題】簡易な構成で、端子金具の逆挿入を検知し得るとともに、ダミープラグの抜け止めを行い得るコネクタを提供する。【解決手段】コネクタ１０は、端子金具５０が挿入可能な複数のキャビティ２１を有するハウジング２０と、 ハウジング２０に装着され、キャビティ２１に連通するシール孔３１を有するシール部材３０と、 ハウジング２０に装着され、ハウジング２０との間にシール部材３０を保持し、シール孔３１に連通する貫通孔４４を有するカバー４０と、を備えている。カバー４０は、貫通孔４４の孔面から突出し、貫通孔４４に端子金具５０が逆挿入姿勢で挿入される場合に、端子金具５０に当接して挿入を規制し、貫通孔４４にダミープラグ６０が挿入される場合に、ダミープラグ６０に係止して抜け止めする突部４６を有する。【選択図】図１１
2020017346.tif 000002
【特許請求の範囲】
【請求項１】
端子金具が挿入可能なキャビティを有するハウジングと、
前記ハウジングに装着され、前記キャビティに連通するシール孔を有するシール部材と、
前記ハウジングに装着され、前記ハウジングとの間に前記シール部材を保持し、前記シール孔に連通する貫通孔を有するカバーと、
を備え、
前記カバーは、前記貫通孔の孔面から突出し、前記貫通孔に前記端子金具が逆挿入姿勢で挿入される場合に、前記端子金具に当接して挿入を規制し、前記貫通孔にダミープラグが挿入される場合に、前記ダミープラグに係止して抜け止めする突部を有することを特徴とするコネクタ。
【請求項２】
前記カバーは、前記突部を複数有することを特徴とする請求項１に記載のコネクタ。
【請求項３】
前記突部は、前記カバーに対をなして設けられ、
前記貫通孔は、断面四角形であり、
一対の前記突部は、前記貫通孔における一辺の両側に設けられた一対の角部からそれぞれ突出することを特徴とする請求項２に記載のコネクタ。
【請求項４】
前記突部は、前記貫通孔の前記孔面における前記ダミープラグの挿入入口側の端部を除く部分から突出しており、
逆挿入姿勢の前記端子金具の先端部が、前記貫通孔の前記挿入入口側に嵌合し得ることを特徴とする請求項１ないし請求項３のいずれか１項に記載のコネクタ。
【請求項５】
前記ダミープラグは、前記貫通孔に対する挿入方向と直交する方向に撓み変形可能な形態の弾性部を有することを特徴とする請求項１ないし請求項４のいずれか１項に記載のコネクタ。
【請求項６】
前記ダミープラグは、前記貫通孔に挿入された状態で、前記突部が嵌まる凹部を有することを特徴とする請求項１ないし請求項５のいずれか１項に記載のコネクタ。
【請求項７】
請求項１ないし請求項６のいずれか１項に記載のコネクタに取り付けられ、前記突部に係止される被係止部を有することを特徴とするダミープラグ。
【発明の詳細な説明】
【技術分野】
【０００１】
本発明は、コネクタ及びダミープラグに関するものである。
【背景技術】
【０００２】
特許文献１には、防水コネクタが開示されている。この防水コネクタは、複数のキャビティを有するハウジングと、ハウジングの後方に固定され、キャビティと連通する端子挿入口を有するシール部材と、シール部材を後方から押さえ付けた状態でハウジングに固定され、端子挿入口と連通する挿通孔を有するカバーと、を備えている。そして、電線の端末部に固着された端子金具は、カバーの挿通孔およびシール部材の端子挿入口を介してキャビティに挿入され、端子挿入口の内周面が電線に密着することでシールが施されるようになっている。一方で、ダミー栓は、カバーの挿通孔を介してシール部材の端子挿入口に挿入され、軸状のシール部が端子挿入口の内周面に密着されることでシールが施される。また、ダミー栓は、シール部の軸方向に対して直交する方向に突出する被係止部が形成されている。カバーは、挿通孔の孔壁から突出する係止部が形成されている。そして、ダミー栓は、被係止部がカバーの係止部に係止することで、抜け止め状態でロックされる。
【先行技術文献】
【特許文献】
【０００３】
【特許文献１】特開２００４−７１２００号公報
【発明の概要】
【発明が解決しようとする課題】
【０００４】
ところで、一般的にコネクタは、端子金具のキャビティへの正規ではない向きでの逆挿入（反転等した不正な姿勢での挿入）を防止する構成を有している。しかしながら、端子金具の逆挿入を検知できるように、逆挿入姿勢の端子金具に作用を及ぼし得る構成を別途設けるとすると、コネクタの構成が複雑になってしまう問題がある。
【０００５】
本発明は上記のような事情に基づいて完成されたものであって、簡易な構成で、端子金具の逆挿入を検知し得るとともに、ダミープラグの抜け止めを行い得るコネクタを提供することを目的とする。
【課題を解決するための手段】
【０００６】
本発明のコネクタは、
端子金具が挿入可能なキャビティを有するハウジングと、
前記ハウジングに装着され、前記キャビティに連通するシール孔を有するシール部材と、
前記ハウジングに装着され、前記ハウジングとの間に前記シール部材を保持し、前記シール孔に連通する貫通孔を有するカバーと、
を備え、
前記カバーは、前記貫通孔の孔面から突出し、前記貫通孔に前記端子金具が逆挿入姿勢で挿入される場合に、前記端子金具に当接して挿入を規制し、前記貫通孔にダミープラグが挿入される場合に、前記ダミープラグに係止して抜け止めする突部を有することを特徴とする。
【０００７】
本発明のダミープラグは、上記コネクタに取り付けられ、前記突部に係止される被係止部を有することを特徴とする。
【発明の効果】
【０００８】
カバーは、貫通孔の孔面から突出する突部を有している。この突部は、貫通孔に端子金具が逆挿入姿勢で挿入される場合に、端子金具に当接して挿入を規制する構成である。そのため、端子金具をキャビティに逆挿入姿勢で挿入しようとした場合に、端子金具が突部に当接して挿入が規制され、それ以上挿入されることがないため、端子金具が逆挿入姿勢であることを検知することができる。一方で、突部は、貫通孔にダミープラグが挿入される場合に、ダミープラグに係止して抜け止めする構成である。そのため、端子金具を収容しないキャビティに対しては、連通する貫通孔にダミープラグを挿入して突部に係止させることで、当該ダミープラグを抜け止め状態で保持させることができる。したがって、突部が、端子金具の逆挿入姿勢を検知する機能と、ダミープラグの抜け止めをする機能と、を兼備するため、各機能に対応した専用構造を設ける必要がなく、カバーの構成を簡易にすることができる。
【図面の簡単な説明】
【０００９】
【図１】実施例１のコネクタにおいてハウジングのキャビティに端子金具が正規挿入姿勢で取り付けられた状態を示す側断面図
【図２】ハウジングにダミープラグが取り付けられた状態を示す側断面図
【図３】ハウジングの正面図
【図４】（Ａ）カバーの正面図、（Ｂ）カバーの背面図
【図５】（Ａ）カバーの底面図、（Ｂ）カバーの左側面図、（Ｃ）図４（Ａ）のＡ−Ａ断面図
【図６】（Ａ）端子金具の右側面図、（Ｂ）端子金具の左側面図、（Ｃ）端子金具の背面図
【図７】（Ａ）ダミープラグの右側面図、（Ｂ）ダミープラグの左側面図、（Ｃ）ダミープラグの背面図
【図８】（Ａ）ダミープラグの正面図、（Ｂ）ダミープラグの底面図、（Ｃ）ダミープラグの平面図
【図９】（Ａ）カバーの貫通孔に端子金具を正規挿入姿勢で挿入する状態を示す部分拡大図、（Ｂ）カバーの貫通孔に端子金具を逆挿入姿勢で挿入した状態を示す部分拡大図
【図１０】カバーの貫通孔にダミープラグを取り付けた状態を示す正面図
【図１１】（Ａ）図１０のＢ−Ｂ断面図、（Ｂ）図１０のＣ−Ｃ断面図
【図１２】他の実施例のダミープラグの平面図
【発明を実施するための形態】
【００１０】
本発明は、前記カバー部が、前記突部を複数有していてもよい。
この構成によれば、端子金具をキャビティに逆挿入姿勢で挿入しようとした場合に、端子金具が複数の各突部に当接して挿入が規制される。そのため、端子金具が逆挿入姿勢であることの検知の確実性を向上させることができる。一方で、貫通孔にダミープラグが挿入される場合に、複数の突部がダミープラグに係止して抜け止めする。そのため、ダミープラグを抜け止め状態で保持することの確実性を向上させることができる。
【００１１】
本発明は、前記突部が、前記カバーに対をなして設けられていてもよい。前記貫通孔は、断面四角形であってもよい。一対の前記突部は、前記貫通孔における一辺の両側に設けられた一対の角部からそれぞれ突出していてもよい。
この構成によれば、一対の突部が貫通孔の孔面において互いに離れた角部からそれぞれ突出するため、貫通孔に端子金具が逆挿入姿勢で挿入される場合に、突部が端子金具にバランス良く当接して挿入を規制することができる。一方で、貫通孔にダミープラグが挿入される場合に、ダミープラグにバランス良く係止して抜け止めすることができる。
【００１２】
本発明は、前記突部が、前記貫通孔の前記孔面における前記ダミープラグの挿入入口側の端部を除く部分から突出していてもよい。逆挿入姿勢の前記端子金具の先端部が、前記貫通孔の前記挿入入口側に嵌合し得る構成であってもよい。
この構成によれば、貫通孔に端子金具が逆挿入姿勢で挿入される場合には、突部に当接するまで端子金具が貫通孔に挿入され、挿入過程で端子金具は突部に向き合うことができるため、端子金具を突部に確実に当接させることができる。そのため、端子金具が逆挿入姿勢であることの検知の確実性を向上させることができる。一方で、貫通孔にダミープラグが挿入される場合には、突部に係止される位置まで貫通孔によってダミープラグを挿入方向にガイドすることができ、ダミープラグを貫通孔に挿入し易くなる。
【００１３】
本発明は、前記ダミープラグが、前記貫通孔に対する挿入方向と直交する方向に撓み変形可能な形態の弾性部を有してもよい。
この構成によれば、ダミープラグは、貫通孔の突部に係止する際に、挿入方向と直交する方向に撓み変形させて、貫通孔に挿入させ易くできる。
【００１４】
本発明は、前記ダミープラグが、前記貫通孔に挿入された状態で、前記突部が嵌まる凹部を有していてもよい。
この構成によれば、ダミープラグは、貫通孔にダミープラグが挿入された状態で、突部が凹部に嵌まることで、挿入方向への移動を規制することができる。そのため、ダミープラグは、貫通孔に対して挿入方向前側及び後側への移動が規制され、安定した状態で抜け止めされる。
【００１５】
＜実施例１＞
以下、本発明を具体化した実施例１を図１〜図１１を参照して説明する。尚、以下の説明において、前後の方向については、図１，２，５（Ｂ）（Ｃ），７（Ｂ）における右方を前方と定義する。上下の方向については、図１〜４，５（Ｂ）（Ｃ），７，９，１０にあらわれる向きを、そのまま上方、下方と定義する。左右の方向については、図３，４（Ａ），５（Ａ），７（Ｃ），９，１０にあらわれる向きを、そのまま左方、右方と定義する。
【００１６】
図１，２に示す本実施例１のコネクタ１０は、自動車のワイヤーハーネスを構成する接続部材である。コネクタ１０は、図１，２に示すように、ハウジング２０と、シール部材３０と、カバー４０と、を備えている。シール部材３０は、ハウジング２０に前方から装着されている。カバー４０は、ハウジング２０との間にシール部材３０を保持しつつハウジング２０に前方から装着されている。
【００１７】
ハウジング２０は、合成樹脂製であり、いわゆる雌型のハウジングである、ハウジング２０は、図１，３に示すように、端子金具５０が挿入可能な複数のキャビティ２１を有している。キャビティ２１は、ハウジング２０を前後方向に貫通した形態である。複数のキャビティ２１は、一部分を除いて、上下左右に整列して形成されている。具体的には、複数のキャビティ２１は、図３に示すように、上下方向には４段に分けて設けられ、左右方向には９列並べられている。キャビティ２１を構成する下壁部には、図１，２に示すように、後方（図１，２における左方）へ片持ち状に延出した形態のランス２２が一体に形成されている。このランス２２は、キャビティ２１から退避する方向（下方）への弾性撓みが可能となっている。ハウジング２０の前端部には、前端面を凹ませた形態の収容凹部２３が形成されている。収容凹部２３の奥端面（前方側に面する端面）には、全てのキャビティ２１の前端が開口している。
【００１８】
また、ハウジング２０は、図３に示すように、前方から見て全てのキャビティ２１の周りを囲むように環状で前方に突出する突出部２４が形成されている。突出部２４は、下端部において左右方向の中心から下方に突出する突出部２５が形成されている。また、突出部２４は、上端部において左右方向の中心から上方に突出する突出部２６が形成されている。
【００１９】
シール部材３０は、ゴム部材によって形成され、図１，２に示すように、ハウジング２０の収容凹部２３に緊密に嵌合可能な厚肉の板状に形成されている。シール部材３０は、各キャビティ２１と連通する位置に、電線Ｗの外周面に液密状に密着可能とされたシール孔３１が形成されている。シール孔３１は、略円形をなしてシール部材３０を前後方向に貫通している。
【００２０】
シール孔３１の内周面には、図１，２に示すように、内周リップ部３２が周設されている。内周リップ部３２が電線Ｗの外周面に弾性的に密接することにより、シール孔３１が塞がれる。シール部材３０の外周面には、収容凹部２３の内周壁に弾性的に当接可能な外周リップ部３３が周設されている。シール部材３０が収容凹部２３に収容された状態では、シール部材３０の外周リップ部３３が収容凹部２３の内周壁に弾性的に当接することにより、シール部材３０と収容凹部２３との間が液密状態にシールされる。なお、シール部材３０の前面および後面は、シール孔３１を除く略全体が凹凸のない平らな面となっている。
【００２１】
カバー４０は、合成樹脂製であって、図４，５に示すように、前壁部４１と、側壁部４２と、を備えている。前壁部４１は、角が丸みを帯びた四角板状である。前壁部４１は、図１，２，５（Ｃ）に示すように、壁面の中央部分から後方に突出する段差部４３が形成されている。カバー４０は、図１，２に示すように、段差部４３が前方から収容凹部２３に嵌め込まれ、前壁部４１がハウジング２０の突出部２４に前方から当接した状態で、ハウジング２０に装着される。
【００２２】
前壁部４１は、図１，２に示すように、シール部材３０のシール孔３１に連通する位置に、端子金具５０やダミープラグ６０が挿通可能な貫通孔４４が形成されている。貫通孔４４は、図１，２に示すように、断面四角形をなして前壁部４１を前後方向に貫通している。貫通孔４４の一側面には、図４に示すように、端子金具５０の膨出部５６との干渉を回避するための逃がし凹部４５が形成されている。
【００２３】
前壁部４１は、図４，５（Ｃ）に示すように、貫通孔４４の孔面から突出する一対の突部４６が形成されている。突部４６は、貫通孔４４に端子金具５０が逆挿入姿勢で挿入される場合に、端子金具５０に当接して挿入を規制するように機能する。また、突部４６は、貫通孔４４にダミープラグ６０が挿入される場合に、ダミープラグ６０に係止して抜け止めするように機能する。
【００２４】
一対の突部４６は、図４に示すように、貫通孔４４の下面における両側の一対の角部（図４では左下の角部と右下の角部）からそれぞれ突出している。すなわち、一対の突部４６は、それぞれ下面と左右の面の一方に跨るように形成されている。突部４６は、角部が丸みを帯びた直方体状（図１１も参照）に形成されている。突部４６は、図５（Ｃ）に示すように、貫通孔４４の孔面におけるダミープラグ６０の挿入入口側の端部を除く部分、具体的には、貫通孔４４の孔面におけるダミープラグ６０の挿入方向（前後方向）の途中（貫通孔４４の前後略中央）において突出している。
【００２５】
側壁部４２は、図５に示すように、前壁部４１の外縁から立ち上がるように形成されている。側壁部４２には、凹部４７，４８が形成されている。凹部４７，４８は、側壁部４２の後端部から前方に向かって切り欠かれている。凹部４７は、左右方向の幅が凹部４８よりも大きくなっている。カバー４０は、ハウジング２０に装着される際に、突出部２５，２６がそれぞれ凹部４７，４８に嵌まり込む。
【００２６】
次に、端子金具５０について説明する。
図１に示すように、複数のキャビティ２１のうち必要なキャビティ２１内には、端子金具５０が前方から挿入される。端子金具５０は、図６に示すように、いわゆる雌型の端子金具である。端子金具５０は、導電性の金属板を展開形状で打ち抜いた後に、曲げ加工等して成形された単一部品である。端子金具５０は、全体として細長い形状であり、角筒部５１と、バレル部５２と、を備えている。角筒部５１は、雄型の端子金具が接続される箱型の接続部として構成されている。バレル部５２は、電線Ｗの端末に固着される。
【００２７】
角筒部５１には、図１、図６に示すように、係止突起５３と、弾性接触片５４と、受け部５５と、膨出部５６と、が形成されている。係止突起５３は、角筒部５１を構成する板部の一部が、外側に張り出るように折り曲げられて形成されている。係止突起５３は、図１に示すように、キャビティ２１に形成されたランス２２が係止可能に形成されている。弾性接触片５４は、角筒部５１の先端部分（雄側タブが挿入される部分）からバレル部５２側に山型に折り返された形状である。受け部５５は、弾性接触片５４側に突出するように形成されている。膨出部５６は、角筒部５１の一方側の側面（図６（Ｃ）では左側の側面）において、外側に向かって膨出するように形成されている。膨出部５６は、角筒部５１において長手方向の中心よりも僅かに先端寄りに形成されている。具体的には、膨出部５６は、角筒部５１において係止突起５３に対して長手方向の略同じ位置に形成されている。
【００２８】
次に、ダミープラグ６０について説明する。
図２に示すように、複数のキャビティ２１のうち必要なキャビティ２１内には、ダミープラグ６０が前方から挿入される。ダミープラグ６０は、合成樹脂製であり、図７に示すように、シール部６１と、操作部６２と、本体部６３と、を備えている。
【００２９】
シール部６１は、図７，８に示すように、ダミープラグ６０の一端側領域に形成され、円柱形をなしている。シール部６１の外径は、弾性撓みしていない状態のシール孔３１の最小内径よりも大きい寸法とされている。
【００３０】
操作部６２は、図７に示すように、ダミープラグ６０におけるシール部６１と反対側の領域に形成されている。操作部６２は、縦長の略直方体形状をなしている。操作部６２の幅寸法（図７（Ｃ）では左右方向の寸法）は、シール部６１の外径よりも少し大きく、貫通孔４４の幅寸法よりも僅かに大きい寸法である。操作部６２の上下寸法（図７（Ｃ）では上下方向の寸法）は、シール部６１の外径よりも大きく、図２に示すように、貫通孔４４の上下寸法よりも僅かに大きい寸法である。上下方向における操作部６２の中央は、シール部６１の軸線よりも下方に位置している。
【００３１】
本体部６３は、図７，８に示すように、横長の略直方体形状をなしている。本体部６３の上下寸法は、シール部６１の外形よりも大きく、操作部６２の上下寸法よりも小さい。また、本体部６３の上下寸法は、図２に示すように、貫通孔４４の上下寸法と略同じ程度の寸法である。上下方向において、本体部６３の中心はシール部６１の軸線よりも少し下方に位置する。
【００３２】
本体部６３は、図７，８に示すように、規制突部６４と、孔６５と、弾性部６６、テーパ部６７と、一対の凹部（被係止部）６８と、が形成されている。規制突部６４は、図７（Ｃ）に示すように、本体部６３の右側の側面のみにおいて、上下方向の中心よりも僅かに上方の位置から右側に突出している。規制突部６４は、図７（Ａ）に示すように、本体部６３の前後方向全体に亘って長手状に形成されている。規制突部６４は、貫通孔４４にダミープラグ６０が正規の挿入姿勢で挿入される場合に、貫通孔４４の縁部に当接することなく貫通孔４４を通過する。一方で、規制突部６４は、貫通孔４４にダミープラグ６０が逆挿入姿勢で挿入される場合に、貫通孔４４の縁部に当接して挿入を規制するように機能する。
【００３３】
孔６５は、図７（Ａ）に示すように、本体部６３を貫通するように形成されている。孔６５は、規制突部６４に上下方向で一部が重なる位置に形成されている。弾性部６６は、本体部６３における孔６５を上下方向から挟む部分である。孔６５は、弾性部６６が上下方向に弾性撓みすることを可能にしている。弾性部６６は、ダミープラグ６０が貫通孔４４に挿入される際に、貫通孔４４に対する挿入方向と直交する方向（上下方向）に撓み変形可能な形態になっている。
【００３４】
テーパ部６７は、図７（Ａ）（Ｂ）に示すように、シール部６１側の角部が、シール部６１側に向かうにつれてシール部６１に近づくように傾斜している。一対の凹部６８は、本体部６３の下面（図８（Ｃ）では前方側の面）の両角部において、上方に凹む断面角凹状に形成されている。凹部６８は、前後方向（図８（Ｃ）では左右方向）の中心よりも僅かに前方寄りの位置（テーパ部６７の後方に隣接する位置）に形成されている。凹部６８は、前後方向に長い長溝になっている。
【００３５】
次に、端子金具５０のコネクタ１０への取り付けについて説明する。
まず、端子金具５０の貫通孔４４への正規挿入姿勢での挿入について説明する。電線Ｗの端末部に固着された端子金具５０は、前方からカバー４０の貫通孔４４に挿入される。端子金具５０は、図９（Ａ）に示すように、係止突起５３が一対の突部４６の間の隙間に対応する（前後方向で重なる）とともに、膨出部５６が逃がし凹部４５に対応する（前後方向で重なる）向きとなることで正規挿入姿勢となる。正規挿入姿勢では、係止突起５３は、図９（Ａ）に示すように、一対の突部４６の間を前後方向に通過するため、突部４６に干渉することがない。また、膨出部５６は、逃がし凹部４５内を前後方向に通過するため、貫通孔４４の縁部に干渉することがない。
【００３６】
端子金具５０は、貫通孔４４を通り、シール部材３０のシール孔３１に挿入されると、シール孔３１が押し広げられる。端子金具５０はシール孔３１の前方に抜け出し、図１に示すように、ハウジング２０のキャビティ２１に収容され、係止突起５３がランス２２によって係止される。また、シール孔３１は、電線Ｗによって液密状に塞がれる。以上により、端子金具５０の正規挿入姿勢での挿入によるコネクタ１０への取り付けが完了する。
【００３７】
次に、端子金具５０の貫通孔４４への逆挿入姿勢での挿入について説明する。端子金具５０は、図９（Ｂ）に示すように、係止突起５３が一対の突部４６の間の隙間に対応せず（前後方向で重ならない）、膨出部５６が逃がし凹部４５に対応しない（前後方向で重ならない）向きとなることで逆挿入姿勢となる。逆挿入姿勢の端子金具５０の先端部は、貫通孔４４の挿入入口側に嵌合する。そして、係止突起５３、および膨出部５６は、図９（Ｂ）に示すように、貫通孔４４の縁部に前方から当接する。また、角筒部５１の下側の板部（受け部５５が形成される側の板部）が、一対の突部４６に前方から当接する。これにより、端子金具５０は、挿入が規制され、それ以上挿入されることがないため、端子金具５０が逆挿入姿勢であることを検知することができる。
【００３８】
次に、ダミープラグ６０のコネクタ１０への取り付けについて説明する。
ダミープラグ６０をコネクタ１０に取り付ける際には、凹部６８が下方に位置する向きにして操作部６２を摘み、貫通孔４４に挿入する。シール部６１は、貫通孔４４に挿通され、シール孔３１に挿入される。この場合、規制突部６４が逃がし凹部４５を前後方向に通過するため、貫通孔４４の縁部に干渉することがない。本体部６３は、テーパ部６７が一対の突部４６に当接した後、弾性部６６が上下方向に撓み変形しつつ後方に挿入されていく。一対の突部４６がテーパ部６７を乗り越えると、弾性部６６が弾性復帰して、図１１に示すように、一対の突部４６が一対の凹部６８にそれぞれ嵌まり込む。弾性部６６が弾性復帰して、突部４６が凹部６８に嵌まり込み係止するため、この係止作用によってダミープラグ６０が抜止めされる。
【００３９】
図１１に示すように、一対の突部４６が一対の凹部６８にそれぞれ嵌まり込んだ状態では、突部４６の後面（図１１では左側の面）と、凹部６８の後壁面と、が前後方向で対向している。また、突部４６の前面（図１１では右側の面）と、凹部６８の前壁面と、が前後方向で対向している。このような構成によって、貫通孔４４の挿入方向に対して、ダミープラグ６０の軸方向が傾くことを防ぐことができる。
【００４０】
また、図２，１１に示すように、操作部６２が前壁部４１の前面に突き当たることにより、ダミープラグ６０が後止まりされる。このようにして、図２，１０，１１に示すように、ダミープラグ６０が正規の位置まで挿入された状態となり、ダミープラグ６０がコネクタ１０に対して挿抜を規制された状態で取り付けられる。
【００４１】
ダミープラグ６０が正しくコネクタ１０に取り付けられた状態では、シール部６１がシール孔３１に挿入し、シール部材３０はシール孔３１を拡開させるように弾性変形する。このシール部材３０の弾性復元力により、シール孔３１の内周とシール部６１の外周との隙間が液密状にシールされる。また、貫通孔４４内には、本体部６３が嵌合され、この貫通孔４４と本体部６３の嵌合により、ダミープラグ６０は、コネクタ１０に対して上下方向への相対移動を規制されるとともに、左右方向への相対移動が抑えられる。また、シール部６１の軸線を中心とするダミープラグ６０の姿勢の傾きも規制される。
【００４２】
本実施例１のコネクタ１０は、カバー４０が、貫通孔４４の孔面から突出する突部４６を有している。この突部４６は、貫通孔４４に端子金具５０が逆挿入姿勢で挿入される場合に、端子金具５０に当接して挿入を規制する構成である。そのため、端子金具５０をキャビティ２１に逆挿入姿勢で挿入しようとした場合に、端子金具５０が突部４６に当接して挿入が規制され、それ以上挿入されることがないため、端子金具５０が逆挿入姿勢であることを検知することができる。一方で、突部４６は、貫通孔４４にダミープラグ６０が挿入される場合に、ダミープラグ６０に係止して抜け止めする構成である。そのため、端子金具５０を収容しないキャビティ２１に対しては、連通する貫通孔４４にダミープラグ６０を挿入して突部４６に係止させることで、当該ダミープラグ６０を抜け止め状態で保持させることができる。したがって、突部が、端子金具の逆挿入姿勢を検知する機能と、ダミープラグの抜け止めをする機能と、を兼備するため、各機能に対応した専用構造を設ける必要がなく、カバーの構成を簡易にすることができる。
【００４３】
また、カバー４０は、突部４６を複数有している。
これによれば、端子金具５０をキャビティ２１に逆挿入姿勢で挿入しようとした場合に、端子金具５０が複数の各突部４６に当接して挿入が規制される。そのため、端子金具５０が逆挿入姿勢であることの検知の確実性を向上させることができる。一方で、貫通孔４４にダミープラグ６０が挿入される場合に、複数の突部４６がダミープラグ６０に係止して抜け止めする。そのため、ダミープラグ６０を抜け止め状態で保持することの確実性を向上させることができる。
【００４４】
また、突部４６が、カバー４０に対をなして設けられている。貫通孔４４は、断面四角形である。一対の突部４６は、貫通孔４４における一辺の両側に設けられた一対の角部からそれぞれ突出している。
これによれば、一対の突部４６が貫通孔４４の孔面において互いに離れた角部からそれぞれ突出するため、貫通孔４４に端子金具５０が逆挿入姿勢で挿入される場合に、突部４６が端子金具５０にバランス良く当接して挿入を規制することができる。一方で、貫通孔４４にダミープラグ６０が挿入される場合に、ダミープラグ６０にバランス良く係止して抜け止めすることができる。
【００４５】
また、突部４６が、貫通孔４４の孔面におけるダミープラグ６０の挿入入口側の端部を除く部分から突出している。逆挿入姿勢の端子金具５０の先端部が、貫通孔４４の挿入入口側に嵌合し得る構成である。
これによれば、貫通孔４４に端子金具５０が逆挿入姿勢で挿入される場合には、突部４６に当接するまで端子金具５０が貫通孔４４に挿入され、挿入過程で端子金具５０は突部４６に向き合うことができるため、端子金具５０を突部４６に確実に当接させることができる。そのため、端子金具５０が逆挿入姿勢であることの検知の確実性を向上させることができる。一方で、貫通孔４４にダミープラグ６０が挿入される場合には、突部４６に係止される位置まで貫通孔４４によってダミープラグ６０を挿入方向にガイドすることができ、ダミープラグ６０を貫通孔４４に挿入し易くなる。
【００４６】
また、ダミープラグ６０は、貫通孔４４に対する挿入方向と直交する方向に撓み変形可能な形態の弾性部６６を有している。
これによれば、ダミープラグ６０は、貫通孔４４の突部４６に係止する際に、挿入方向と直交する方向に撓み変形させて、貫通孔４４に挿入させ易くできる。
【００４７】
また、ダミープラグ６０は、貫通孔４４に挿入された状態で、突部４６が嵌まる凹部６８を有している。
これによれば、ダミープラグ６０は、貫通孔４４にダミープラグ６０が挿入された状態で、突部４６が凹部６８に嵌まることで、挿入方向への移動を規制することができる。そのため、ダミープラグ６０は、貫通孔４４に対して挿入方向前側及び後側への移動が規制され、安定した状態で抜け止めされる。
【００４８】
＜他の実施例＞
本発明は上記記述及び図面によって説明した実施例に限定されるものではなく、例えば次のような実施例も本発明の技術的範囲に含まれる。
（１）上記実施例において、ダミープラグ６０の凹部６８は、本体部６３の下面（図８（Ｃ）では前方側の面）の両角部において、上方に凹むように形成されていた。しかしながら、凹部６８は、ダミープラグ６０の正規挿入姿勢において、カバー４０の突部４６が係止する構成であれば、その他の構成であってもよい。例えば、図１２に示すように、本体部６３の下面側に、一対の延出片６９が形成されていてもよい。延出片６９は、操作部６２における本体部６３側の面から、本体部６３の下面に沿って延出し、先端に鉤状の鉤部（被係止部）６９Ａが形成されている。このような構成では、ダミープラグ６０の貫通孔４４への正規挿入姿勢での挿入において、一対の突部４６の押圧により一対の延出片６９が互いに近づく方向に弾性変形する。そして、突部４６が鉤部６９Ａを乗り越えると、延出片６９が弾性復帰して、一対の突部４６が一対の鉤部６９Ａにそれぞれ係止する。これにより、ダミープラグ６０がコネクタ１０に抜止めされる。
（２）上記実施例では、ダミープラグ６０の凹部６８が、本体部６３において前後方向（図８（Ａ）では左右方向）の中心よりも僅かに前方寄りの位置（テーパ部６７の後方に隣接する位置）に形成されていた。しかしながら、凹部６８の形成される位置は、これに限定されない。例えば、凹部６８は、本体部６３において前端部や後端部に形成されていてもよい。
【符号の説明】
【００４９】
１０…コネクタ
２０…ハウジング
２１…キャビティ
３０…シール部材
３１…シール孔
４０…カバー
４４…貫通孔
４６…突部
５０…端子金具
６０…ダミープラグ
６６…弾性部
６８…凹部（被係止部）
６９Ａ…鉤部（被係止部）
【図１】
2020017346.tif 000003
【図２】
2020017346.tif 000004
【図３】
2020017346.tif 000005
【図４】
2020017346.tif 000006
【図５】
2020017346.tif 000007
【図６】
2020017346.tif 000008
【図７】
2020017346.tif 000009
【図８】
2020017346.tif 000010
【図９】
2020017346.tif 000011
【図１０】
2020017346.tif 000012
【図１１】
2020017346.tif 000013
【図１２】
2020017346.tif 000014